(57)【要約】【課題】使用済み後に分解することなく挿入した管を取外すことのできる、ワンタッチ式の合成樹脂管用継手を提供する。【解決手段】継手１は本体１を備え、これに袋ナット１７が結合される。袋ナットのテーパ部２５内部には、抜け止めリング２９が配置される。抜け止めリングは円周方向の一箇所においてカットされて隙間３１が形成され、外周は、袋ナットの当接部２６に対応したテーパ状に形成されており、本体から遠ざかる方向に移動すると抜け止めリングは縮径する。抜け止めリングの内周には、合成樹脂管４１の外周に食付いて抜け止めを行なう突条が螺旋状に形成されている。抜け止めリングは袋ナットに取付けられたネジ３９により回転止めされる。管４１を袋ナット側から挿入することによりワンタッチ式に抜け止めした状態で管を継手に接続できる。管を外す際には、継手を分解する必要はなく、管を所定の方向に回転すればよい。【選択図】  図１
2005069360.tif 000002
【特許請求の範囲】
【請求項１】
貫通孔を備え、該貫通孔内に、一端側から挿入される管の端部に当接して該管のそれ以上の移動を阻止する当接部を備えた継手本体と、貫通孔を備え、前記継手本体の前記一端側に結合されるカバー体と、前記カバー体の前記貫通孔内に抜け止めされて配置され、内周側に、挿入された管の外周に食付いて挿入方向とは逆方向への管の抜けを防止する、円周方向に延びる突条を備えた抜け止めリングとを備えた合成樹脂管用継手において、前記突条は、螺旋状に形成され、前記抜け止めリングは前記カバー体に対して、少なくとも所定の一方向への回転を阻止されて配置されていることを特徴とする、合成樹脂管用継手。
【請求項２】
請求項１記載の合成樹脂管用継手において、前記カバー体の前記貫通孔は、前記本体から遠ざかるに連れて径が小さくなるテーパ部を備え、前記抜け止めリングは、円周方向の一箇所において部分的にカットされて隙間が形成され、前記抜け止めリングの外周部は、前記カバー体のテーパ部に対応したテーパ状に形成されていることを特徴とする、合成樹脂管用継手。
【請求項３】
請求項２記載の合成樹脂管用継手において、前記抜け止めリングの前記隙間に、前記カバー体の前記テーパ部で径方向内方へ突出する突部が嵌ることにより、前記抜け止めリングは回転止めされていることを特徴とする、合成樹脂管用継手。
【発明の詳細な説明】
【技術分野】
【０００１】
本発明は例えば上水道において使用される管用継手に関し、さらに詳細に言えば、例えばポリエチレン管など合成樹脂製の管に使用される、管を差込むことにより接合することのできる、通称ワンタッチ継手の称される合成樹脂管用継手に関する。
【背景技術】
【０００２】
近年上水道の配管としてポリエチレンなど合成樹脂で作られた管も使用され、そのような合成樹脂管用の継手として、継手の一端側から管を挿入するのみで接続できる、ワンタッチ式の継手が使用される場合がある。そのような継手の従来例の一つが特開２００３−６５４８２号公報に開示されている。
【０００３】
この継手は、貫通孔を有する継手本体に対して筒状螺合体を螺合して取付ける。筒状螺合体の内部には、それぞれリング状をしている環状弾性パッキンと、異物進入防止リングと、抜け止め用リングとがこの順序で配置される。筒状螺合体の本体への取付け側内周は本体側に向かうにつれて径が大きくなるようにテーパ状に形成され、これに対応して抜け止め用リングの外周がテーパ状に形成されて、抜け止めされている。抜け止めリングの内周には、大径方向に向かって切り立つ鋸刃状の突起が円周方向に延びて形成されている。この状態に組立てられた継手に、合成樹脂管を筒状螺合体側から挿入し、その挿入端部を抜け止めリング、異物進入防止リング、環状弾性リング内を通過させて、本体の貫通孔内に形成されたうち向き鍔に当接させる。この状態で管を引くと、管外周に抜け止めリングの鋸刃状突起が食付き、抜け止めされることとなる。
【０００４】
ところで、このようなワンタッチ継手は、配管の交換を行う場合などに、断水させないために設けられる仮設用の配管に使用されるのが一般的である。従って、交換工事が終了して正規の配管が使用されるようになると、この仮設用配管は取除かれる。その場合、合成樹脂管は一方側へは抜け止めリングにより、他方側へは内向き鍔により抜け止めされているので、その取り外しには継手を分解する必要がある。すなわち、継手の近くで合成樹脂管を切断し、その状態で継手本体と筒状螺合体との螺合を外し、抜け止めリングに対して、先に挿入したのと同じ方向に移動させることにより、合成樹脂管を取外すようになっている。
【０００５】
このように、使用済み後に管を継手から外すには継手を分解しなければならず、また、次回使用する場合には再度継手を組立てて、管を挿入することとなる。即ち、使用する度に継手の組立て、分解が必要であり、労力と時間を要する。
【０００６】
【特許文献１】特開２００３−６５４８２号公報
【発明の開示】
【発明が解決しようとする課題】
【０００７】
本願発明は上記従来の問題点に鑑みなされたものであり、使用済み後に分解することなく挿入した管を取外すことのでき、次回使用時に改めて組立てる必要が無くそのまま管を挿入するだけで良い、ワンタッチ式の合成樹脂管用継手を提供することをその課題とする。
【課題を解決するための手段】
【０００８】
上記課題を解決するために本発明に係る合成樹脂管用継手においては、継手本体と、継手本体の一端側に結合されるカバー体と、カバー体内に抜け止めされて配置され、内周側に、挿入された管の外周に食付いて挿入方向とは逆方向への管の抜けを防止する、円周方向に延びる突条を備えた抜け止めリングとを備えた合成樹脂管用継手において、その突条を螺旋状に形成し、抜け止めリングはカバー体に対して、少なくとも所定の一方向への回転を阻止した状態で配置した。これにより、継手を分解することなく、管を所定の方向に回転させるだけで管を継手から外すことができる。
【０００９】
ある実施の形態では、抜け止めリングがその中に配置されるカバー体の貫通孔は、本体から遠ざかるに連れて径が小さくなるテーパ部を備え、抜け止めリングの外周部は、カバー体のテーパ部に対応したテーパ状に形成されている。これにより、抜け止めリングが本体から遠ざかる方向に移動すると抜け止め部材は縮径し、さらに深く管に食付くこととなる。
【００１０】
ある実施の形態では、抜け止めリングに形成された隙間に、カバー体のテーパ部で径方向内方へ突出する突部が嵌ることにより、抜け止めリングは回転止めされている。これにより、抜け止めリングに回転止めのための特別な構成を設ける必要がない。
【発明の効果】
【００１１】
上記の通り、本願発明においては抜け止めリングの管の外周に食付く突条を螺旋状に形成したので、継手を分解することなく、管を継手に対して所定の方向に回転させることにより管を継手から外すことができる。従って一度だけ継手を組立てれば、その後は分解、再組立といった作業を行なうことなく、そのままの状態で何度でも使用することができるので、作業効率が各段に向上する。  
【発明を実施するための最良の形態】
【００１２】
以下図面を参照して本発明の実施の形態を説明する。図1は本発明の実施の形態に係る合成樹脂管用継手（以下「継手」という）を示す正面断面図であり、図2は継手を各部材に分解して示した正面図である。
【００１３】
図において符号３は筒状の本体であり、内部に貫通孔５を備えている。本体３は、図において左側が、後述の合成樹脂管４１が挿入される側である内径が大きい大径部６と、右側が内径の小さくなった小径部７となっており、その境の内周側に肩部９が形成されている。大径部６の内径は、接続される合成樹脂管４１の外径と略同径である。また大径部６の内周側には、後述のシール用のOリング３７を収受する溝１１が円周方向に延びて形成されている。大径部６側の外周端部側には後述のカバー体１７が螺合するオネジ１３が刻設されており、一方小径部7側の外周には他の機器、或いは配管に結合するためのテーパネジ１５が刻設されている。
【００１４】
符号１７は本体３に結合されるカバー体としての袋ナットである。袋ナット１７は、大略3つの部分から形成され、その第１は、内周側に前述の本体３のオネジ１３に螺合するメネジ２２が刻設された大径部２１である。そして大径部２１の反対側端部は径の小さい小径部であり、この部分の内径は、挿入される合成樹脂管４１の外径よりわずかに大きくなっている。大径部２１と小径部２３との間は、テーパ部２５となっており、図示の通り内周側に後述の抜け止めリング２９の外周が当接するテーパ状の当接部２６が形成されている。符号２７はテーパ部２５に形成された、後述のネジ３９が螺入される径方向に貫通したネジ孔である。
【００１５】
符号２９は抜け止めリングである。抜け止めリング２９は図3に示すように、円周方向で一部分カットされて隙間３１が形成されている。従って外側から力が加わることにより縮径することができる。また隙間３１を利用して、後述するように抜け止めリング２９の回り止めが行なわれる。
【００１６】
抜け止めリング２９の外周３３側は、前述の袋ナット１７の当接部２６のテーパに対応した形状のテーパを付されている。また、内周側には、断面が鋸刃状の突条３５が円周方向に延びて形成されている。そしてこの突条３５は、図に明らかなとおり螺旋状に形成されている。なお鋸刃の形状は、図において右側が略直角に近い角度で起立する形となっている。また、突条３５の頂部すなわち内周の径は、本実施の形態では、接続される合成樹脂管４１の外径と略同一或いは僅かに小さめに形成されているが、後述の抜け止め機能が確保できれば若干大きくなっていても良い。なお、螺旋状に形成されている突条３５は、隙間３１以外の部分で必ずしも連続している必要はない。１回転部分が複数に分割されていても良く、全体的に見て螺旋状に連続していればよい。また、必ずしも１条である必要はなく、複数条に形成されていても良い。
【００１７】
符号３７は前述の本体３の溝１１に収受されるOリングであり、収受された状態ではその内径が本体の大径部６の内径より少し小さい。また、符号３９は前述の袋ナット１７のネジ孔２７に螺入されるネジである。符号４１はこの継手１に接続される、例えばポリエチレン製の合成樹脂管であり、その一端部のみを図示してある。
【００１８】
上述の継手は以下のように組立てる。即ち、Oリング３７を本体３の溝１１に取付ける。一方に、ネジ３９を袋ナット１７のネジ孔２７に螺入する。ネジ３９の先端は袋ナット１７のテーパ部において貫通孔19内へ突出している。この状態で抜け止めリング２９を、その隙間３１の位置をネジ３９の位置に合わせた状態で、袋ナット１７のテーパ部２５内に配置する。ネジ３９の先端は、抜け止めリング２９の肉厚内に留まり、突条３５の内周より内側に突出することはない。この状態で、本体３と袋ナット１７とをオネジ１３、メネジ２２を用いて螺合し、緩まないようにきつく結合する。これで継手自体の組立ては完了する。抜け止めリング２９の継手１の軸方向での移動は、その大径側端部３６が対面する本体３の大径部６の端部１４と、外周部３３が対面する袋ナット１７の当接部２６により所定の範囲に制限される。
【００１９】
合成樹脂管４１をこの継手１に接続するには、袋ナット１７の小径部２３側から挿入するだけでよい。管４１はその挿入端部が本体３の肩部９に当接するまで挿入する。その挿入の際、管の外径が抜け止めリング２９の内径即ち突条３５の内径より若干大きくても、突条３５の鋸刃の形状が小径部２３側が緩やかな傾斜になっているので、抜け止めリング２９を押し広げながら進入する。また、挿入された管４１の外周にはOリング３７が圧縮状態で接触するので、この部分においてシールされる。管４１を接続した後、管４１が逆方向に移動しようとすると、抜け止めリング２９の突条３５が管４１の外周に食付き、抜けるのを防止する。その際、抜け止めリング２９が引張られて移動するが、それに伴い抜け止めリング２９は袋ナット１７の当接部２６の作用を受けて縮径し、さらに深く管４１の外周に食付き、確実に管４１の抜け止めを行なうことができる。
【００２０】
ところで、接続した管４１を継手１から外すには、従来のように継手１を分解する必要はない。すなわち、管４１の外周に食付いて管４１の抜け止めを行っている突条３５は前述のとおり螺旋状に形成されている。そして抜け止めリング２９はネジ３９により袋ナット１７に対して回転止めがされている。したがって、管４１を継手１或いは袋ナット１７に対して、抜け止めリング２９の螺旋が小径側へ後退する方向と同じ方向に回転させると、管４１を継手１から外すことができる。なお、外す作業を行なう場合には、従来同様、管４１を袋ナット１７の左側に握ることのできる長さを残して切断して行うのがよい。管４１を外した継手１はその組立てた状態のままにしておき、次に使用する場合にはただ管を挿入するだけで接続することができる。
【図面の簡単な説明】
【００２１】
【図１】本発明の具体的実施の形態に係る合成樹脂管用継手の正面断面図である。
【図２】継手を分解した状態での正面図である。
【図３】抜け止めリングと回転止めネジとの関係を示す正面図である。
【符号の説明】
【００２２】
１  合成樹脂管用継手
３  継手本体
５  貫通孔
９  肩部
１１  円周溝
１７  袋ナット
２５  テーパ部
２６  当接部
２７  ネジ孔
２９  抜け止めリング
３３  外周
３５  突条
３７  Oリング
３９  回転止めねじ
４１  合成樹脂管
【図１】
2005069360.tif 000003
【図２】
2005069360.tif 000004
【図３】
2005069360.tif 000005